(57)【要約】【課題】  乾燥した環境下にあっても生存率を高め、また定着場所がない植物でも、天敵生物による害虫の防除効果が得られる天敵生物放飼用袋の提供。【解決手段】  内側をビニールコーティングした袋を製造し、この袋内に天敵生物と小麦外皮などの担体とを一緒に入れる。それから前記担体に直接接触しないようにした保湿剤を前記袋内に入れる。【選択図】        図１
2005185222.tif 000002
【特許請求の範囲】
【請求項１】
袋内に天敵生物と小麦外皮などの担体とを一緒に収納すると共に、保湿剤を前記袋内に収納したことを特徴とする天敵生物の放飼用袋。
【請求項２】
天敵生物の餌も前記袋内に収納したことを特徴とする請求項１記載の天敵生物の放飼用袋。
【請求項３】
保湿剤は、水を含んだ高分子吸収体と、この高分子吸収体を収納する水を通さない材質からなり、小孔を穿けた小袋とより成ることを特徴とする請求項１記載の天敵生物の放飼用袋。
【請求項４】
袋内に前記保湿剤を分けて収納する保湿剤収納部を設けたことを特徴とする請求項１又は３記載の天敵生物の放飼用袋。
【発明の詳細な説明】
【技術分野】
【０００１】
この発明は、害虫を防除する天敵昆虫などの天敵生物の放飼のために用いられる放飼用袋に関する。
【背景技術】
【０００２】
１９８０年代後半より、ククメリスカブリダニやチリカブダニなどの天敵生物が、農作物生産現場において害虫防除を目的として利用されている。これらの多くの天敵生物は乾燥条件に対しては耐性がないため、高湿度条件での使用が望ましいが、使用する場所に放飼するにすぎず、天敵生物の効果が上がらない原因の一つとなっていた。
【発明の開示】
【発明が解決しようとする課題】
【０００３】
特に、天敵昆虫の中でも、ククメリスガブリダニや、デジェネランスカブリダニ、バーカリカブリダニ、チリカブリダニなど害虫捕食性のダニ類は特に乾燥条件に弱いことが知られている。湿度が低いと、成虫の寿命が短くなる、卵の生存率が著しく低下する、卵から成虫までの発育所要日数が延長されるなどの問題が生じている。
【０００４】
しかし、実際の農作物生産現場では、農作物の病気を予防するという観点から、生産施設内の湿度をなるべく低くするように努めている。そのために、冬場など湿度の低い季節では、単に放飼しただけでは天敵生物の害虫防除効果が著しく低くなることになる。
【０００５】
天敵生物使用上の前記とは異なる問題として、天敵の定着場所の問題がある。現在、天敵生物が使われている主な作物としては、ナス、キュウリ、イチゴ、トマトなどがあげられるが、これらに天敵生物を使用した場合、天敵生物は植物の葉裏に定着する。しかし、ネギなどの葉裏がない作物では、天敵生物が定着しにくいため天敵生物の害虫防除効果が低い。
【０００６】
そこで、この発明は、乾燥した環境下にあっても生存率を高め、定着場所がない植物でも、天敵生物による害虫の防除効果が得られる天敵生物放飼用袋を提供する。
【０００７】
この発明に係る天敵生物の放飼用袋は、袋内に天敵生物と小麦外皮などの担体とを一緒に収納すると共に、保湿剤を前記袋内に収納したことにある（請求項１）。これにより、袋の中は保湿剤から水分の放出により高湿度となり、卵の生存率の向上、卵から成虫までの発育所要日数の短縮などが図れる。この放飼用袋は開口されて植物にぶら下げられ、または植物の根元に設置され、該袋を基点に植物体上を移動して害虫を防除する。また、袋が基点となることから、定着場所のない植物でも防除効果が得られる。
【０００８】
また、天敵生物の餌も前記袋内に収納する場合もあり（請求項２）、例えば天敵生物の一種である捕食性ダニのククメリスガブリダニの場合は、担体の小麦外皮と餌となるケナガコナダニを同時に入れることで、袋内部で該ククメリスガブリダニが増殖するに用いられる。
【０００９】
ここでの保湿剤は、水を含んだ高分子吸収体と、この高分子吸収体を収納する水を通さない材質からなり、小孔を穿けた小袋とより成るものである（請求項３）。これにより、高分子吸収体からの水分が小孔から袋内に放出されることから、保湿剤と担体とが接触せず、該担体が濡れて腐敗が起こることが防がれる。
【００１０】
また、保湿剤を袋内に形成の保湿剤収納部に担体と分けて収納するため（請求項４）、請求項３の発明よりも該担体が濡れにくくなり、腐敗を確実に防ぐことができる。
【発明の効果】
【００１１】
この発明によれば、放飼用袋中は、保湿剤により水分が放出されて高湿の状態が保たれ、天敵生物の生育に最適な状態となると共に、担体が保湿剤と直接接触せず、腐敗の発生を防ぐことができる。そして、天敵生物は、袋内では最適環境にあり、生存率が高まり、袋を基点として植物に上り、害虫の防除効果が向上する。
【発明を実施するための最良の形態】
【００１２】
以下、この発明の実施例を図面にもとづいて説明する。
【実施例１】
【００１３】
図１，図２において、この発明に係る天敵生物の放飼用袋が示されている。これは内側にビニールコートされている紙（グラシン紙）を２つ折りにし、他の３片を熱圧着して袋１を製造している。この袋１内には、天敵生物であるケナガコナダニ、ククメリスガブリダニ等（図示せず）が担体（キャリア）の小麦外皮２と共に収納されている。そして、共に保湿剤３も収納されている。
【００１４】
保湿剤３は、内部に水を吸収した高分子吸収体と、これを包む水を通さない材質からなる小袋４より成り、表面に穿けた小孔５を備え、該小孔５より、水分が袋１内に放出される。このために、袋１内は高湿度となる。したがって、天敵生物の生存には適した環境に維持される。なお、前記袋１の上方に形成の小孔６は空気流通用のものである。
【００１５】
上述のような構成の天敵生物放飼用袋は、キュウリ、トマトなどの植物では葉なり、茎に吊持して使用される。当然ながら、袋１は切断され開口されている。また、ねぎなどの植物では根元に袋１が開口されて配置される。これにより、袋を基点として、成虫が出て植物上に移り、害虫が防除される。
【実施例２】
【００１６】
図３，図４において、この発明の他の実施例が示されている。この実施例では、袋１の内部に保湿剤３が収納される保湿剤収納部８が設けられている。即ち、チャック９を持つポリエチレン製の袋１に図３では縦方向に図４では横方向に熱圧着してそれぞれ形成されている。
【００１７】
したがって、図３では縦方向の保湿剤収納部８に保湿剤３が入れられ、また図４では横方向の保湿剤収納部８に保湿剤３が入れられている。このような構成にすることで、保湿剤３による加湿効果が得られると共に保湿剤３と担体２とが直接接触せずに、水分による担体の腐敗の防止効果を高めることができる。なお、使用例は前述した実施例１と同様で、チャック９を開いて使用される。
【図面の簡単な説明】
【００１８】
【図１】この発明の実施例を示す天敵生物の放飼用袋の斜視図である。
【図２】同上の天敵生物の放飼用袋内に収納される保湿剤の斜視図である。
【図３】この発明の他の実施例を示す天敵生物の放飼用袋の正面図である。
【図４】は同上の変形例を示す天敵生物の放飼用袋の正面図である。
【符号の説明】
【００１９】
１  袋
２  小麦外皮
３  保湿剤
４  小袋
５  小孔
６  小孔
８  保湿剤収納部
９  チャック
【図１】
2005185222.tif 000003
【図２】
2005185222.tif 000004
【図３】
2005185222.tif 000005
【図４】
2005185222.tif 000006